(57)【要約】【課題】省電力のために動作パターンを制御すること。【解決手段】人工衛星を利用して当該携帯電話が地球上のどこにあるのかを測位する測位部１６０と、ユーザが向かおうとしている目的地を示す目的地データと、目的地までの経路上の指定地点から目的地までの区間Ａにおいて連続通話する際に必要な電池容量を示す必要電池容量データとを格納するデータ格納部１３０と、携帯電話１００の動作パターンを制御する制御部１８０とを備え、制御部１８０は、測位部１６０によって測位された現在地から指定地点までの経路である区間Ｂにおいて、携帯電話１００の動作パターンを制御することによって、データ格納部１３０に格納されている必要電池容量データによって示される電池容量を区間Ａにおいて確保する。【選択図】図１
2012105237.tif 000002
【特許請求の範囲】
【請求項１】
省電力のために動作パターンを制御する携帯電話であって、
人工衛星を利用して当該携帯電話が地球上のどこにあるのかを測位する測位部と、
ユーザが向かおうとしている目的地を示す目的地データと、前記目的地までの経路上の指定地点から前記目的地までの区間Ａにおいて連続通話する際に必要な電池容量を示す必要電池容量データとを格納するデータ格納部と、
当該携帯電話の動作パターンを制御する制御部と
を備え、
前記制御部は、前記測位部によって測位された現在地から前記指定地点までの区間Ｂにおいて、当該携帯電話の動作パターンを制御することによって、前記データ格納部に格納されている必要電池容量データによって示される電池容量を前記区間Ａにおいて確保する
ことを特徴とする携帯電話。
【請求項２】
前記制御部は、前記データ格納部に格納されている必要電池容量データによって示される電池容量を、現在の電池残量から差し引いた電池残量を、前記区間Ｂにおいて使用可能な電池残量として、当該携帯電話の動作パターンを制御する
ことを特徴とする請求項１に記載の携帯電話。
【請求項３】
前記制御部は、前記使用可能な電池残量が所定のしきい値以下になった場合に、より電力消費が少なくなるように、当該携帯電話の動作パターンを制御する
ことを特徴とする請求項１又は２に記載の携帯電話。
【請求項４】
前記制御部は、前記使用可能な電池残量の程度と、目的地までの所要時間とに応じて前記所定のしきい値を設定し、前記使用可能な電池残量が当該所定のしきい値以下になった場合に、より電力消費が少なくなるように、当該携帯電話の動作パターンを制御する
ことを特徴とする請求項１から３のいずれか一項に記載の携帯電話。
【請求項５】
前記制御部は、時間帯に応じて、前記データ格納部に格納されている必要電池容量データによって示される電池容量に対する重み付けを行い、当該重み付けされた電池容量が前記区間Ａにおいて確保されるように、前記測位部によって測位された現在地から前記指定地点までの区間Ｂにおいて、当該携帯電話の動作パターンを制御する
ことを特徴とする請求項１から４のいずれか一項に記載の携帯電話。
【請求項６】
前記制御部は、現在地から前記指定地点までの間に経由すべき経由地点が指定された場合、現在地から前記経由地点を経由する前記指定地点までの経路を前記区間Ｂとして、当該区間Ｂにおいて、当該携帯電話の動作パターンを制御する
ことを特徴とする請求項１から５のいずれか一項に記載の携帯電話。
【請求項７】
前記データ格納部は、前記目的地データとして、ユーザが向かおうとしている候補となり得る複数の目的地を示す目的地データと、前記必要電池容量データとして、前記各目的地に対応する前記区間Ａにおいて連続通話する際に必要な電池容量をそれぞれ示す必要電池容量データとを格納し、
前記制御部は、前記データ格納部に格納されている必要電池容量データによって示される各電池容量のうち、ユーザによって選択された目的地に対応する電池容量が前記区間Ａにおいて確保されるように、前記測位部によって測位された現在地から前記指定地点までの区間Ｂにおいて、当該携帯電話の動作パターンを制御する
ことを特徴とする請求項１から６のいずれか一項に記載の携帯電話。
【請求項８】
前記制御部は、ユーザからの指示を受けて、当該携帯電話の動作パターンの制御を開始する
ことを特徴とする請求項１から７のいずれか一項に記載の携帯電話。
【請求項９】
前記制御部は、電池残量が予め定められたしきい値以下になった場合に、当該携帯電話の動作パターンの制御を開始する
ことを特徴とする請求項１から７のいずれか一項に記載の携帯電話。
【請求項１０】
前記制御部は、予め定められたスケジュールに従って、当該携帯電話の動作パターンの制御を開始する
ことを特徴とする請求項１から７のいずれか一項に記載の携帯電話。
【発明の詳細な説明】
【技術分野】
【０００１】
本発明は、携帯電話に関する。特に、本発明は、省電力のために動作パターンを制御する携帯電話に関する。
【背景技術】
【０００２】
近年、習い事等をしている子供の中には、習い事等が夕方や夜にまで及び、帰宅時間が遅くなってしまう者も少なくない。そのような子供の親は、防犯上の理由から、子供が夜道を帰る際にいつでも連絡が取れるよう、子供に携帯電話を持たせるケースが増えてきている。
【０００３】
携帯電話の機種によっては、電池残量が少なくなった場合に、画面の輝度を抑える等の省電力機能を持っているものがある。このような省電力機能によっては、電池残量の消費を抑えることはできる。しかしながら、その電池残量によって、例えば、どの程度通話することができるのかを知ることはできない。
【０００４】
そのため、その省電力設定を行った場合でも、ユーザが目的地に到着する前に、電池切れの状態になってしまう場合があった。しかしながら、電池切れの状態になってしまった場合、万が一の場合に緊急通報がかけられないことや、通話できないことにより、犯罪に巻き込まれることも考えられる。
【０００５】
このような問題に対する技術としては、携帯電話機等の無線携帯端末に登録した情報と電池の残容量とに応じて、その機能が制御される無線携帯端末が知られている（例えば、特許文献１参照。）。この特許文献１に記載の技術においては、現在位置の無線携帯端末の現在位置の位置情報を取得する。そして、この特許文献１に記載の技術においては、無線携帯端末の各部へ電源電圧を供給する電池の残容量を検出する。そして、この特許文献１に記載の技術においては、残容量と電池の充電終了時の容量と充電終了時の時刻と現在時刻とから電池の残連続待受時間を算出する。そして、この特許文献１に記載の技術においては、帰宅予想時刻を取得する。そして、この特許文献１に記載の技術においては、帰宅予想時刻から現在時刻を差し引いた時間よりも、電池の残連続待受時間の方が少ないとの比較結果が得られたときに、防犯に不必要な機能の動作を制限する。
【先行技術文献】
【特許文献】
【０００６】
【特許文献１】特開２０１０−０４１１５５号公報
【発明の概要】
【発明が解決しようとする課題】
【０００７】
特許文献１に記載の技術は、端末使用者の帰宅期待時刻まで電池切れが生じないように防犯に不必要な機能を制限して継続使用可能とすることができるとされている。しかしながら、特許文献１に記載の技術においては、例えば、ユーザが帰宅する経路上のある地点から自宅までの間、防犯のために連続通話しようとする場合、その連続通話のための電池残量が確保されているという保障はない。
【課題を解決するための手段】
【０００８】
上記課題を解決するために、本発明の第１の形態によると、省電力のために動作パターンを制御する携帯電話であって、人工衛星を利用して当該携帯電話が地球上のどこにあるのかを測位する測位部と、ユーザが向かおうとしている目的地を示す目的地データと、目的地までの経路上の指定地点から目的地までの区間Ａにおいて連続通話する際に必要な電池容量を示す必要電池容量データとを格納するデータ格納部と、当該携帯電話の動作パターンを制御する制御部とを備え、制御部は、測位部によって測位された現在地から指定地点までの区間Ｂにおいて、当該携帯電話の動作パターンを制御することによって、データ格納部に格納されている必要電池容量データによって示される電池容量を区間Ａにおいて確保する。
【０００９】
なおまた、上記のように発明の概要は、本発明の必要な特徴の全てを列挙したものではなく、これらの特徴群のサブコンビネーションもまた、発明となり得る。
【発明の効果】
【００１０】
以上の説明から明らかなように、この発明においては、ユーザが携帯電話の動作パターンを解除した地点から、事前登録されている目的地までの区間Ａにおいて、連続通話する際に必要な電池容量を確保できるため、例えば、ユーザが区間Ａにおいて連続通話をしながら目的地に向かった場合でも、電池切れになる虞がない。
【図面の簡単な説明】
【００１１】
【図１】携帯電話１００のブロック構成の一例を示す図である。
【図２】バッテリー１７０の使用時間と、電池容量との相関関係の一例を示す図である。
【図３】目的地までの所要時間と、バッテリー１７０の使用可能量とによって決定される省電力パターンの設定の一例を示す図である。
【図４】目的地や徒歩時間の設定画面の一例を示す図である。
【図５】動作パターン切替解除画面の一例を示す図である。
【図６】携帯電話１００の動作パターン切替の動作フローの一例を示す。
【図７】携帯電話１００の動作パターン切替解除の要求があった場合の動作フローの一例を示す図である。
【図８】携帯電話１００の動作パターン切替起動中に電池残量が必要容量Ａより小さくなって電源をオフした後にユーザ操作により電源オンした場合の動作フローの一例を示す図である。
【図９】携帯電話１００の動作パターン設定後に充電した場合の動作フローの一例を示す図である。
【図１０】時間帯による徒歩時間への重み付けの関係の一例を示す図である。
【図１１】省電力モードの設定画面の一例を示す図である。
【図１２】目的地の詳細情報と徒歩時間の関係の一例を示す図である。
【図１３】省電力モードの設定画面の別の一例を示す図である。
【発明を実施するための形態】
【００１２】
以下、発明の実施の形態を通じて本発明を説明するが、以下の実施形態は、特許請求の範囲にかかる発明を限定するものではなく、また、実施形態の中で説明されている特徴の組み合わせの全てが発明の解決手段に必須であるとは限らない。
【００１３】
図１は、携帯電話１００のブロック構成の一例を示す。省電力のために動作パターンを制御する機能を持っている。具体的には、携帯電話１００は、省電力のために自機の動作パターンを制御することによって、例えば、ユーザが会社から自宅への帰路において、自宅の最寄駅から自宅までの間、連続通話しても電池切れとならないように、その連続通話に必要な電池容量（以下、電池容量Ａとする。）が、自宅の最寄駅を通過するときに確保されているようにする。なお、必要容量Ａは、この発明における「必要電池容量データ」の一例であってよい。
【００１４】
携帯電話１００は、アンテナ１１０、無線部１２０、データ格納部１３０、キー操作部１４０、表示部１５０、測位部１６０、バッテリー１７０、及び制御部１８０を備えている。
【００１５】
アンテナ１１０は、高周波エネルギーを電波として空間に放射、あるいは逆に空間の電波を高周波エネルギーへ相互に変換する。無線部１２０は、無線通信に必要な処理を行う。データ格納部１３０には、各種情報が格納されている。キー操作部１４０は、キーバックライト１４１を備えており、ユーザによる操作を受け付ける。表示部１５０は、バックライト１５１を備えており、ユーザからの入力情報や電池残量を表示する。測位部１６０は、現在位置を測位する。制御部１８０は、携帯電話１００の内部の各部と接続され、携帯電話１００の動作を制御する。
【００１６】
データ格納部１３０には、しきい値情報１３１、通信先情報１３２、目的地情報１３３、及び位置情報１３４が格納されている。しきい値情報１３１は、動作パターンを切り替えるためのしきい値の情報である。通信先情報１３２は、省電力設定においても通話可能な指定された通信先の情報である。目的地情報１３３は、ユーザが向かおうとしている目的地の情報である。位置情報１３４は、測位部１６０が即位した位置の情報である。
【００１７】
図２は、バッテリー１７０の使用時間と、電池容量との相関関係の一例を示す。制御部１８０は、電池残量を監視するに際し、データ格納部１３０に格納されているしきい値情報１３１に設定されているしきい値の情報を参照している。具体的には、しきい値情報１３１には、しきい値１と、しきい値１よりも電池残量が低いしきい値２とが設定されている。なお、しきい値１、２は、それぞれこの発明における「所定のしきい値」の一例であってよい。
【００１８】
電池残量がしきい値１を下回ると、制御部１８０は、携帯電話１００の動作パターンを、通常の動作パターンから省電力のための動作パターン１に自動的に切り替える。そして、更に電池残量が減って、しきい値２を下回ると、動作パターン２に自動移行する。その後ユーザが使用を継続し、動作パターン切替の解除要求がないまま、電池残量が必要容量Ａ未満になってしまった時点で、携帯電話１００の電源をオフする。
【００１９】
図３は、目的地までの所要時間と、バッテリー１７０の使用可能量とによって決定される省電力パターンの設定の一例を示す。ここで、バッテリー１７０の使用可能量とは、現在のバッテリー１７０の残量から電池容量Ａを差し引いた値である。しきい値は目的地までの所要時間と使用可能量から決定する。目的地までの所要時間は動作パターン切替開始時に測位部１６０が現在位置を測位し、あらかじめユーザ操作にてデータ格納部１３０の目的地情報に登録されている目的地までの所要時間を使用する。
【００２０】
また、目的地情報に登録されている徒歩時間から、目的地までの徒歩時間中に連続通話可能な程度の電池容量（必要容量Ａ）が計算できる。使用可能量とは動作パターン切替開始時に確認した電池残量から、必要容量Ａを引いたものであり、ユーザが動作パターン切替解除までに使用可能な電池残量である。
【００２１】
しきい値の例として、所要時間が１時間以内で比較的目的地が近い場合、動作パターン１を設定するしきい値１は使用可能量の２０％、動作パターン２を設定するしきい値２は使用可能量の１０％とする。
【００２２】
また、所要時間が３時間で目的地が遠い場合、動作パターン１を設定するしきい値１は使用可能量の３０％、動作パターン２を設定するしきい値２は使用可能量の１５％とし、目的地が近い場合に比較して、しきい値１・しきい値２が高めに設定されているために、早めに動作パターン１・動作パターン２が設定されることになる。
【００２３】
まず、動作パターン切替の初期設定方法を説明する。図４に示すような、初期設定画面を準備し、目的地と徒歩時間を設定する。徒歩時間とはユーザが動作パターン切替を解除してから目的地までに要する時間であり、ここに設定した時間分は連続通話可能区間となる。例えば、自宅を目的地として登録する場合は、自宅住所と駅から自宅までの徒歩時間を登録する。ここで設定した内容はデータ格納部１３０に目的地情報１３３として格納される。ここで設定した時間分連続通話するのに必要な電池容量を必要容量Ａとする。
【００２４】
図６は、携帯電話１００の動作パターン切替の動作フローの一例を示す。動作パターン切替の開始はユーザ操作にて行う。制御部１８０はユーザからの開始要求がキー操作部１４０からあるか否かを判定する。開始要求がある場合（ステップＳ１０１：Ｙｅｓ）、動作パターン設定の動作はステップＳ１０２に移行する。
【００２５】
ステップＳ１０２では、測位部１６０は現在位置情報を測位し、データ格納部１３０の位置情報１３４に格納する。その情報から制御部１８０は目的地までの所要時間を計算する。この所要時間は直線距離での所要時間ではなく、ユーザが実際に通るルートでの所要時間とする（例えば、現在位置から最寄駅までは徒歩、その後電車移動し、目的地の最寄駅から目的地までは徒歩とした場合の時間）。また電池残量を測定し、その中から必要容量Ａを確保した場合にユーザが使用可能な電池容量（使用可能量）を計算する（使用可能量＝電池残量−必要容量Ａ）。動作パターン設定の動作はステップＳ１０３に移行する。
【００２６】
ステップＳ１０３では、Ｓ１０２で算出した目的地までの所要時間と使用可能量から動作パターン１に移行するしきい値１、動作パターン２に移行するしきい値２を算出する。しきい値１・しきい値２の例は図３に示すように、所要時間が１時間以内で比較的目的地が近い場合、動作パターン１を設定するしきい値１は使用可能量の２０％、動作パターン２を設定するしきい値２は使用可能量の１０％とする。所要時間が３時間で目的地が遠い場合、動作パターン１を設定するしきい値１は使用可能量の３０％、動作パターン２を設定するしきい値２は使用可能量の１５％とし、目的地が近い場合に比較して、しきい値１・しきい値２が高めに設定されているために、早めに動作パターン１・動作パターン２が設定されることになる。動作パターン設定の動作はステップＳ１０４に移行する。
【００２７】
ステップＳ１０４では、制御部１８０は電池残量がしきい値１より小さいか否かを判定する。電池残量がしきい値１より大きい場合（ステップＳ１０４：Ｎｏ）、しきい値１より小さくなるまでステップＳ１０４を繰り返す。電池残量がしきい値１より小さい場合（ステップＳ１０４：Ｙｅｓ）、動作パターン設定の動作はステップＳ１０５に移行する。ステップＳ１０５では動作パターン１を設定し、動作パターン設定の動作はステップＳ１０６に移行する。
【００２８】
ステップＳ１０６では、制御部１８０は電池残量がしきい値２より小さいか否かを判定する。電池残量がしきい値２より大きい場合（ステップＳ１０６：Ｎｏ）、しきい値２より小さくなるまでステップＳ１０６を繰り返す。電池残量がしきい値２より小さい場合（ステップＳ１０６：Ｙｅｓ）、動作パターン設定後の動作はステップＳ１０７に移行する。ステップＳ１０７では動作パターン２を設定し、動作パターン設定の動作はステップＳ１０８に移行する。
【００２９】
ステップＳ１０８では、制御部１８０は電池残量が必要容量Ａより小さいか否かを判定する。電池残量が必要容量Ａより大きい場合（ステップＳ１０８：Ｎｏ）、ステップＳ１０８を繰り返す。電池残量が必要容量Ａより小さい場合（ステップＳ１０８：Ｙｅｓ）、動作パターン設定後の動作はステップＳ１０９に移行する。ステップＳ１０９では、携帯電話１００を電源オフする。以上説明した処理により、開始要求から動作パターン設定までの動作は完了する。
【００３０】
図７は、携帯電話１００の動作パターン切替解除の要求があった場合の動作フローの一例を示す。動作パターンを設定している場合は、いつでもユーザ要求に従い解除できるようにする。例として図５を記載するが、動作パターン設定中でもユーザは制限の範囲内で携帯電話１００を使用することはできるので、常時画面表示する必要はない。
【００３１】
ステップＳ２０１にて、制御部１８０はユーザからの解除要求の有無を判定する。ユーザからの解除要求がある場合（ステップＳ２０１：Ｙｅｓ）、動作パターン切替解除の処理はステップＳ２０２に移行し、現在の省電力設定をすべて解除する。ユーザからの解除要求がない場合（ステップＳ２０１：Ｎｏ）、現在の動作パターンを継続し、電池残量に応じて図６の処理を行う。以上説明した処理により、動作パターン切替解除の動作は完了する。
【００３２】
図８は、携帯電話１００の動作パターン切替起動中に電池残量が必要容量Ａより小さくなって電源をオフした後にユーザ操作により電源オンした場合の動作フローの一例を示す。ステップＳ３０１では、制御部１８０はユーザからの電源オンの要求の有無を判定する。ユーザからの電源オン要求がない場合（ステップＳ３０１：Ｎｏ）、電源オフの状態を継続し、ステップＳ３０１を繰り返す。ユーザからの電源オン要求がある場合（ステップＳ３０１：Ｙｅｓ）、電源オン時の処理はステップＳ３０２に移行し、表示部１５０に図５のような動作パターン切替を解除するか否かの表示をする。その後処理はステップＳ３０３に移行する。
【００３３】
ステップＳ３０３では、動作パターン切替解除表示において、ユーザが解除希望するか否かを判定する。ユーザが動作パターン切替の解除を希望する場合（ステップＳ３０３：Ｙｅｓ）、電源オン時の処理はステップＳ３０４に移行し、現在の省電力設定をすべて解除する。ユーザが動作パターン切替の解除を希望しない場合（ステップＳ３０３：Ｎｏ）、電源オン時の処理はステップＳ３０５に移行し、電池残量が必要容量Ａよりも小さいために、再度、携帯電話１００の電源をオフする。以上説明した処理により、電源オンした場合の動作は完了する。
【００３４】
図９は、携帯電話１００の動作パターン設定後に充電した場合の動作フローの一例を示す。ステップＳ４０１では、制御部１８０は充電が開始されたか否かを判定する。充電を開始した場合（ステップＳ４０１：Ｙｅｓ）、処理はステップＳ４０２に移行する。充電をされない場合（ステップＳ４０１：Ｎｏ）、図６の動作に従い省電力設定を継続する。ステップＳ４０２では、動作パターン切替を自動解除する。処理はステップＳ４０３に移行する。
【００３５】
ステップＳ４０３では、制御部１８０は充電器が外されたか否かを判定する。充電器が外された場合（ステップＳ４０３：Ｙｅｓ）、処理はステップＳ４０４に移行する。充電器が外されていない場合（ステップＳ４０３：Ｎｏ）、充電器が外されるまでステップＳ４０３を繰り返す。
【００３６】
ステップＳ４０４では、動作パターン切替を開始し、図６のステップＳ１０２と同様に電池残量及び目的地までの所要時間を検索し、図６のステップＳ１０３以降の処理を行う。以上説明した処理により、動作パターン設定後に充電した場合の動作は完了する。
【００３７】
以上説明したように、本発明においては、以下に記載するような効果を奏する。あらかじめユーザは目的地とその目的地までの徒歩時間を登録しておく（例えば目的地を自宅として登録する場合は、自宅住所と、駅から自宅までの徒歩時間を登録する）ことで、この登録情報から目的地までの徒歩時間中に連続通話可能な程度の電池容量（必要容量Ａ［％］）を算出できる。
【００３８】
動作パターン切替起動時に、電池残量を確認する。その電池残量から、必要容量Ａを確保して、動作パターン切替解除までにユーザが使用できる電池容量（使用可能量）を計算する。使用可能量＝電池残量−必要容量Ａで計算できる。使用可能量をあらかじめ算出しておくことでユーザが電池を使いすぎることがなくなり、動作パターン切替解除時に確実に必要容量Ａを残すことができ、徒歩時間中に連続通話可能となり、万が一の場合でも緊急通報が可能となる。
【００３９】
動作パターン１、動作パターン２のように異なる複数の動作パターンを持つことで、電池残量に応じた動作パターンに切り替えることができ、ユーザの使用制限を段階的に強くすることができる。動作パターン１はバックライト１５１の輝度等の表示機能の制限、動作パターン２は通信機能の制限、のようにした場合は、動作パターン１の間は通話やメール等が可能であり、ユーザに不便感を極力抑えることができる。以下は動作パターンの例である。
動作パターン１：バックライト１５１の輝度最低レベル、キーバックライト１４１の消灯、地デジ・音楽プレイヤーの停止
動作パターン２：指定通話先以外からの発着信禁止（この指定通話先の情報はデータ格納部１３０の通信先情報１３２に格納する。）、着信ランプ・バックライト１５１の消灯
【００４０】
動作パターン１、動作パターン２に移行するしきい値１・しきい値２を目的地までの所要時間と使用可能量から決定するため、所要時間が短い場合、しきい値１は使用可能量の２０％、しきい値２は使用可能量の１０％とし、所要時間が長い場合、しきい値１は使用可能量の３０％、しきい値２は使用可能量の１０％とする等、目的地が遠い場合は、近い場合に比較して、しきい値１が高めに設定されてすることができ、早めに動作パターン１が設定できる。電池残量が必要容量Ａより少なくなると携帯電話１００の電源オフしてしまうので、早めに動作パターンを設定することにより、ユーザの使いすぎを防ぐことができ、電源オフの電池残量に達しないように、早めの対策ができる。
【００４１】
解除メニューを設けることで、動作パターン２（通信の制限）であっても、ユーザの要求があれば、省電力設定を解除して、通話が可能となる。
【００４２】
図１０は、時間帯による徒歩時間への重み付けの関係の一例を示す。ユーザによる開始要求の時間帯により、必要容量Ａを増減させてもよい。データ格納部１３０の目的地情報１３３に登録されている徒歩時間に時間帯によって重み付けを行うことにより、１２時等、明るい時間帯には危険も少なく、電話をかける機会も少ないため、必要容量Ａは少なくできる。また、危険の増える夜間（２２時程度）にユーザから動作パターン切替の開始要求を受けた場合は、徒歩区間で通常以上に通話するケースが多くなる可能性があるので、必要容量Ａは多めに設定したほうがよい。このようにユーザの生活パターンに応じた重み付けを行うことで、更に効率的な動作パターン切替制御が可能となる。
【００４３】
第１の実施例では動作パターン１・動作パターン２のみとしているが、省電力設定をより細分化してもよい。例えば以下のように動作パターン１→２→３→４のように設定した場合は、２パターンにするよりも、段階的に省電力設定が変化するので、ユーザへの違和感が少ない。ただし、２パターンの時の動作パターン１に比べると省電力レベルが低いので、より早めに設定開始する必要がある。
動作パターン１：バックライト１５１の輝度最低レベル、キーバックライト１４１の消灯
動作パターン２：地デジ・音楽プレイヤーの停止
動作パターン３：指定通話先以外からの発着信禁止、着信ランプ・バックライト１５１の消灯
動作パターン４：オフラインモード（通信の遮断）
【００４４】
図１１は、省電力モードの設定画面の一例を示す。本動作パターン切替の開始契機はユーザによる開始要求であるが、その開始要求の中に通常モード寄り道モード等いくつかモードを選べるようにしてもよい。開始メニューの中にオプションを設ける。ここで寄り道モード２時間を選択した場合に、図６のステップＳ１０２＆Ｓ１０３で検索した目的地までの所要時間が１時間であった場合でも、２時間寄り道するので実際に目的地までの所要時間は３時間となる。そこでステップＳ１０３でのしきい値算出の際に所要時間を３時間と読み替えて算出する。その後の動作パターン設定までの処理は図６ステップＳ１０４以降に沿って実施する。このようにして経由地を通った場合でも、正しく目的地までの所要時間を設定することができ、必要容量Ａを確保することができるので、ユーザが事前に設定している徒歩区間では連続通話を維持することができる。
【００４５】
図１２は、目的地の詳細情報と徒歩時間の関係の一例を示す。図１３は、省電力モードの設定画面の別の一例を示す。図４で初期設定を行いデータ格納部１３０の目的地情報１３３に格納すると説明したが、複数の目的地を登録し、動作パターン切替開始のメニューの中で目的地を変更できるようにしてもよい。データ格納部１３０の目的地情報１３３には目的地の詳細情報と徒歩時間を格納しておく。また、開始メニューの中に目的地のオプションを設ける。目的地を変更した場合も動作は図６、図７、図８、図９で説明した通りとする。目的地を複数登録できるようにすることで、帰宅時に限らず、出社途中等、必要な場面で電池切れの状態を避けることができる。
【００４６】
毎日同じ時間帯に動作パターン切替を起動するユーザ向けに、スケジュール機能を搭載してよい。これにより、アラーム設定のように曜日別に月〜金は１７時に自動的に開始、のように設定が可能となる。スケジュール機能を使用する場合は、動作パターン切替起動する曜日と時間、目的地、徒歩時間の情報をセットで登録する必要がある。スケジュール機能を使用する場合、スケジュールに登録された日時等の条件を満たした場合に、動作パターン切替を自動起動し、図６のＳ１０２以降の動作を行う。
【００４７】
スケジュール登録がない場合でも、電池残量があるしきい値を下回ると、ユーザへ動作パターン切替を起動するように促す通知をしてもよい。例えば、しきい値を電池容量の３０％とした場合に、そのしきい値を下回った時に、動作パターン切替を起動しますか？のような通知をし、ユーザが起動するを選択した場合には、続けて目的地徒歩時間を設定する画面を表示させる。ここで目的地徒歩時間情報を登録した後の動作は、図６のＳ１０２以降と同じとする。
【００４８】
以上、本発明を実施の形態を用いて説明したが、本発明の技術的範囲は、上記実施の形態に記載の範囲には限定されない。上記実施の形態に、多様な変更又は改良を加えることが可能であることが当業者に明らかである。そのような変更又は改良を加えた形態も本発明の技術的範囲に含まれ得ることが、特許請求の範囲の記載から明らかである。
【符号の説明】
【００４９】
１００  携帯電話
１１０  アンテナ
１２０  無線部
１３０  データ格納部
１３１  しきい値情報
１３２  通信先情報
１３３  目的地情報
１３４  位置情報
１４０  キー操作部
１４１  キーバックライト
１５０  表示部
１５１  バックライト
１６０  測位部
１７０  バッテリー
１８０  制御部
【図１】
2012105237.tif 000003
【図２】
2012105237.tif 000004
【図３】
2012105237.tif 000005
【図４】
2012105237.tif 000006
【図５】
2012105237.tif 000007
【図６】
2012105237.tif 000008
【図７】
2012105237.tif 000009
【図８】
2012105237.tif 000010
【図９】
2012105237.tif 000011
【図１０】
2012105237.tif 000012
【図１１】
2012105237.tif 000013
【図１２】
2012105237.tif 000014
【図１３】
2012105237.tif 000015